(57)【要約】【課題】特に圧縮空気を用いて信号を発生することにより、気動工具を制御または調整するための信号発生器を提供する。【解決手段】本発明にかかる気動工具の信号発生器は、気動工具の押しボタンと連通するようにチャンバーに取り付けられ、チューブと、心軸と、ピストンと、空気案内部材を有し、該チューブは、気動工具のチャンバーに取り付けられ、該心軸は、チューブに回動可能に設置され、該ピストンは、一端が気動工具の押しボタンに連接されると共に、他端がチューブの底部を密封するように心軸に移動可能に挿設され、該空気案内部材は、心軸に回動可能に取り付けられ、これによれば、気動工具の押しボタンを押すと、気動工具に進入した圧縮空気の一部が、心軸の空気案内部材に流入して圧力信号を発生し、この圧力信号をカウンターや、圧力計などの部品に送信することにより、気動工具の押し回数または量を検知することができる。【選択図】図１
2019155482.tif 000002
【特許請求の範囲】
【請求項１】
気動工具の押しボタンと連通するように、該気動工具のチャンバーに取り付ける気動工具の信号発生器であって、
前記気動工具のチャンバーに取り付けられ、一端に開口が形成されると共に、他端に底部が設けられる連接通路を備えるチューブと、
前記チューブの連接通路に回動可能に設置され、軸方向に貫通する貫設穴が形成され、外周面に環状凹部が形成される、心軸と、
前記心軸の貫設穴に移動可能に挿設され、一端が気動工具の押しボタンに連接され、他端が密封蓋を介してチューブの底部を密封するように該チューブに貫設固定される、ピストンと、
前記心軸に回動可能に取り付けられ、信号ユニット及び空気案内ユニットを備え、該信号ユニットは、心軸の環状凹部に取り付けられ、内部にチューブの連接通路と連通する内部通路が形成され、該空気案内ユニットは、信号ユニットの内部通路と連通するように該信号ユニットの一端に取り付けられる、空気案内部材、を有することを特徴とする、
気動工具の信号発生器。
【請求項２】
前記心軸はさらに、空気排出部と、空気進入部と、連接部を備え、該連接部は、空気排出部と空気進入部との間に設けられ、前記貫設穴は、心軸の軸方向に沿って空気排出部、空気進入部、連接部を貫通するように形成され、前記環状凹部は、空気排出部と空気進入部との間かつ連接部の周囲に形成され、前記信号ユニットは、心軸の空気進入部に結合されることを特徴とする請求項１に記載の気動工具の信号発生器。
【請求項３】
前記空気進入部に挿設穴及び案内通路が形成され、該案内通路は、挿設穴及びチューブの連接通路と連通するように形成され、前記信号ユニットは、一端を介して挿設穴に結合され、案内通路及びチューブの連接通路と連通することを特徴とする請求項２に記載の気動工具の信号発生器。
【請求項４】
前記信号ユニットは、心軸の軸方向に沿って延出する組立端が設けられ、該心軸の軸方向と垂直する方向に沿って延出する連接端が設けられ、前記信号ユニットは、組立端を介して心軸の挿設穴に結合されることを特徴とする請求項３に記載の気動工具の信号発生器。
【請求項５】
前記空気排出部の下側に組合凹部が形成され、前記空気案内部材は、組合凹部に取り付ける位置決め部材を備え、前記信号ユニットに、固定端が心軸の軸方向に沿って凹設され、前記位置決め部材は、信号ユニットの固定端に結合されることを特徴とする請求項２乃至４の何れか１項に記載の気動工具の信号発生器。
【発明の詳細な説明】
【技術分野】
【０００１】
本発明は、特に圧縮空気を用いて信号を発生することにより、気動工具を制御または調整するための信号発生器に関するものである。
【背景技術】
【０００２】
図６に示すように、既存の気動工具は、本体７１と、駆動部材７２と、押し部材７３と、音消し部材７４を有し、前記本体７１は、収容空間７１１と、押し空間７１２と、空気進入通路７１３と、空気排出通路７１４を備え、該押し空間７１２は、水平方向からやや斜めに延出するように収容空間７１１の近傍に形成され、該空気進入通路７１３及び空気排出通路７１４はそれぞれ、押し空間７１２と連通するように形成され、前記駆動部材７２は、収容空間７１１の内部に設置され、前記押し部材７３は、押し空間７１２の内部に設置され、前記音消し部材７４は、空気排出通路７１４と連通摺るように本体７１の底部に取り付けられる。
【０００３】
前記気動工具を使用する時、本体７１がエアーコンプレッサー（図示せず）と連接して圧縮空気を空気進入通路７１３から進入して、押し部材７３の制御により気動工具を駆動して駆動部材７２を回転させ、これによれば、気動工具を稼動することができる。余分な圧縮空気を、駆動部材７２から空気排出通路７１４にガイドして排出すると、圧縮空気の循環を行う。
【先行技術文献】
【特許文献】
【０００４】
【特許文献１】台湾特許第Ｉ３３１０７１号
【発明の概要】
【発明が解決しようとする課題】
【０００５】
既存の気動工具は、主に圧縮空気を用いて部品全体を駆動することから、構成の設計に制限を有し、また、圧縮空気が配管または部品の設計により不安定な状態となりやすく、検知の信号としても精確率に劣ることから、既存の気動工具に、押し回数や、圧力などの数値を検知するための信号発生装置を装着することは非常に困難である。
【０００６】
さらに、既存の気動工具は、電子部品を直接に利用して、押し回数や、空気圧力、圧力の信号などの数値を検知することができず、電子部品だけではなく、配線や、他の部品も必要であることから、装着手間が非常に複雑であると共に、気動工具の体積を増加しまうので、改良する必要があった。
【課題を解決するための手段】
【０００７】
本発明にかかる気動工具の信号発生器は、気動工具の押しボタンと連通するように、該気動工具のチャンバーに取り付けるものであり、前記気動工具のチャンバーに取り付けられ、一端に開口が形成されると共に、他端に底部が設けられる連接通路を備えるチューブと、前記チューブの連接通路に回動可能に設置され、軸方向に貫通する貫設穴が形成され、外周面に環状凹部が形成される、心軸と、前記心軸の貫設穴に移動可能に挿設され、一端が気動工具の押しボタンに連接され、他端が密封蓋を介してチューブの底部を密封するように該チューブに貫設固定される、ピストンと、前記心軸に回動可能に取り付けられ、信号ユニット及び空気案内ユニットを備え、該信号ユニットは、心軸の環状凹部に取り付けられ、内部にチューブの連接通路と連通する内部通路が形成され、該空気案内ユニットは、信号ユニットの内部通路と連通するように該信号ユニットの一端に取り付けられる、空気案内部材、を有する。
【０００８】
かかる気動工具の信号発生器において、前記心軸はさらに、空気排出部と、空気進入部と、連接部を備え、該連接部は、空気排出部と空気進入部との間に設けられ、前記貫設穴は、心軸の軸方向に沿って空気排出部、空気進入部、連接部を貫通するように形成され、前記環状凹部は、空気排出部と空気進入部との間かつ連接部の周囲に形成され、前記信号ユニットは、心軸の空気進入部に結合されることが好ましい。
【０００９】
かかる気動工具の信号発生器において、前記空気進入部に挿設穴及び案内通路が形成され、該案内通路は、挿設穴及びチューブの連接通路と連通するように形成され、前記信号ユニットは、一端を介して挿設穴に結合され、案内通路及びチューブの連接通路と連通することが好ましい。
【００１０】
かかる気動工具の信号発生器において、前記信号ユニットは、心軸の軸方向に沿って延出する組立端が設けられ、該心軸の軸方向と垂直する方向に沿って延出する連接端が設けられ、前記信号ユニットは、組立端を介して心軸の挿設穴に結合されることが好ましい。
【００１１】
かかる気動工具の信号発生器において、前記空気排出部の下側に組合凹部が形成され、前記空気案内部材は、組合凹部に取り付ける位置決め部材を備え、前記信号ユニットに、固定端が心軸の軸方向に沿って凹設され、前記位置決め部材は、信号ユニットの固定端に結合されることが好ましい。
【発明の効果】
【００１２】
本発明に係る気動工具の信号発生器は、上述した構成を有するため、以下の効果を提供する。
１．気動工具の押しボタンを押すと、気動工具に進入した圧縮空気の一部が、心軸の空気案内部材に流入して圧力信号を発生し、この圧力信号をカウンターや、圧力計などの部品に送信することにより、気動工具の押し回数または量を検知したり、トルクまたは圧力を調整したりする機能を提供する。
２．本発明は、既存の気動工具を使って信号を発生したり、伝送したりする機能を備えることから、他の電子部品や配線などを装着する必要がないので、構造が非常に簡単で、気動工具の体積及び重さが増加することもない。
【図面の簡単な説明】
【００１３】
【図１】本発明に係る気動工具の部分断面側面図である。
【図２】本発明に係る気動工具の信号発生器の分解斜視図である。
【図３】本発明に係る気動工具の信号発生器の断面図である。
【図４】本発明に係る気動工具において、使用状態を示す部分拡大断面図である。
【図５】図４の部分拡大断面図である。
【図６】既存の気動工具の部分断面側面図である。
【発明を実施するための形態】
【００１４】
本発明に係る気動工具の信号発生器は、図１乃至図４に示すように、気動工具１０の押しボタン１２と連通するように、該気動工具１０のチャンバー１１に取り付けられ、チューブ２０と、心軸３０と、ピストン４０と、空気案内部材５０を有する。
【００１５】
図１に示すように、前記気動工具１０は、既存の気動工具であり、内部に斜め下方に延出するチャンバー１１が形成され、該チャンバー１１と連通する空気進入通路１３及び空気排出通路１４が形成される。
【００１６】
図１及び図２に示すように、前記チューブ２０は、気動工具１０のチャンバー１１に設置され、円筒状を呈し、一端に開口２２が気動工具１０の押しボタン１２に向かって形成されると共に、他端に底部が設けられる連接通路２１を備える。
前記チューブ２０の外周面における開口２２と反対する側に、２つの空気進入口２３が間隔をおいて並列すると共に連接通路２１と連通するように形成され、前記チューブ２０の外周面における上下相対する両側にそれぞれ、連接通路２１と連通する空気排出口２４が形成される。前記チューブ２０の外周面における開口２２と空気排出口２４との間に、制限溝部２５が形成され、前記チューブ２０における開口２２と反対する側に、底部２６が設けられ、該底部２６に、連接通路２１と連通するピン穴２６１が形成される。
【００１７】
図１乃至図３に示すように、前記心軸３０は、回動可能にチューブ２０の連接通路２１に設置され、円柱状を呈し、空気排出部３１と、空気進入部３２と、連接部３３を備える。
該連接部３３は、空気排出部３１と空気進入部３２との間に設けられ、前記心軸３０の軸方向に沿って空気排出部３１、空気進入部３２、連接部３３を貫通する貫設穴３４が形成される。該空気排出部３１と空気進入部３２との間かつ連接部３３の周囲に環状凹部３５が形成され、該環状凹部３５は、チューブ２０の２つの空気排出口２４に対応する。
【００１８】
図２乃至図３に示すように、前記空気排出部３１における制限溝部２５に対応する箇所に、凹み部３１１が形成され、前記空気排出部３１の下側に、円柱状の組合凹部３１２が形成され、前記空気進入部３２における組合凹部３１２に対応する箇所に、挿設穴３２１及び、該挿設穴３２１と連通する案内通路３２２が形成される。前記空気進入部３２における貫設穴３４と連通する空気進入空間３２３が形成され、前記空気進入部３２の上側に、該空気進入空間３２３と連通する空気流入穴３２４が形成される。該空気流入穴３２４は、チューブ２０の２つの空気進入口２３のいずれか１つと連通することにより、圧縮空気を案内することができる。
前記空気進入部３２におけるピン穴２６１と対応する側に、案内溝部３２５が凹設される。前記心軸３０の空気進入部３２がチューブ２０の底部２６に当接するように組み合わされる。これによれば、ピン穴２６１からの圧縮空気が案内溝部３２５を介して案内通路３２２及び空気進入空間３２３に進入する。
【００１９】
図１及び図２に示すように、前記ピストン４０は、心軸３０の貫設穴３４に挿設され、一端が気動工具１０の押しボタン１２に連接され、他端が密封蓋４１を介してチューブ２０の底部を密封するように該チューブ２０のピン穴２６１に貫設固定され、軸方向に沿って移動することにより、ピン穴２６１を密封して圧縮空気をチューブ２０及び心軸３０に流入することができなくなる。
【００２０】
図２及び図３に示すように、前記空気案内部材５０は、心軸３０に回動可能に取り付けられ、位置決め部材５１と、信号ユニット５２と、空気案内ユニット５３を備える。
該位置決め部材５１は、組合凹部３１２に対応して密着するように、該組合凹部３１２に取り付けられ、ボルトであることが好ましい。該信号ユニット５２は、位置決め部材５１と同軸に空気進入部３２の挿設穴３２１に取り付けられ、Ｔ字形の円柱体であり、心軸３０の軸方向に沿って固定端５２１が凹設され、該固定端５２１と反対する端に組立端５２２が設けられ、該固定端５２１及び組立端５２２の間に、心軸３０の軸方向と垂直する方向に沿って延出する連接端５２３が設けられ、該固定端５２１に、位置決め部材５１と同軸の固定穴５２４が形成され、該組立端５２２及び連接端５２３の内部に、Ｌ字形の通路が形成されるが、該通路が固定端５２１の内部通路５２５と連通しない。
【００２１】
該内部通路５２５における組立端５２２の一端が案内通路３２２と連通し、該信号ユニット５２の組立端５２２が挿設穴３２１に結合され、該位置決め部材５１が挿設穴３２１に設置されて固定穴５２４に螺合され、これによれば、信号ユニット５２を環状凹部３５に位置させる。
前記位置決め部材５１により信号ユニット５２を挿設穴３２１に移動して空気案内部材５０の配置位置を調整する。前記空気案内ユニット５３は、細長状の管体であり、一端が連接端５２３の内部通路５２５に挿設され、他段が気動工具１０の空気排出通路１４に延出する。
【００２２】
本発明に係る気動工具の信号発生器の使用方法は、図３乃至図５に示すように、気動工具１０は、圧縮空気を用いて稼動し、押しボタン１２を押すと、ピストン４０をチューブ２０及び心軸３０に沿って移動させ、ピストン４０の密封蓋４１がチューブ２０から離れる。この時、圧縮空気が空気進入通路１３からチャンバー１１に進入して、一部の圧縮空気が案内溝部３２５に沿って案内通路３２２に進入して、信号ユニット５２の内部通路５２５を通って空気案内ユニット５３に進入する。この時、該一部の圧縮空気が空気案内ユニット５３に進入して圧力信号を生じることから、気動工具１０は、カウンターや、圧力計などの圧力信号を受信して気動工具１０の作動状態を制御可能な装置を組み合せて、押し回数または量を計算したり、トルクまたは圧力を調整したりする機能を提供する。
例えば、気動工具１０の押しボタン１２を一回押すと、圧縮空気を空気案内部材５０により送入して一回の圧力信号を生じると共に、カウンターも一回とカウントする。したがって、使用者が圧縮空気を用いて押し回数を計算することができ、他の電子部品または電子配線を設置する必要はないため、気動工具の体積及び重量も増加することはない。つまり、気動工具は、元々の構成を用いて、信号を生じて伝送することができる。
【符号の説明】
【００２３】
１０    気動工具
１１    チャンバー
１２    押しボタン
１３    空気進入通路
１４    空気排出通路
２０    チューブ
２１    連接通路
２２    開口
３０    心軸
３１    空気排出部
３１２  組合凹部
３２    空気進入部
３２１  挿設穴
３２２  案内通路
３３    連接部
３５    環状凹部
３４    貫設穴
４０    ピストン
４１    密封蓋
５２    信号ユニット
５０    空気案内部材
５２    信号ユニット
５２１  固定端
５２２  組立端
５２３  連接端
５３    空気案内ユニット
【図１】
2019155482.tif 000003
【図２】
2019155482.tif 000004
【図３】
2019155482.tif 000005
【図４】
2019155482.tif 000006
【図５】
2019155482.tif 000007
【図６】
2019155482.tif 000008
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
気動工具の押しボタンと連通するように、該気動工具のチャンバーに取り付ける気動工具の信号発生器であって、
前記気動工具のチャンバーに取り付けられ、一端に開口が形成されると共に、他端に底部が設けられる連接通路を備えるチューブと、
前記チューブの連接通路に回動可能に設置され、軸方向に貫通する貫設穴が形成され、外周面に環状凹部が形成される、心軸と、
前記心軸の貫設穴に移動可能に挿設され、一端が気動工具の押しボタンに連接され、他端が密封蓋を介してチューブの底部を密封するように該チューブに貫設固定される、ピストンと、
前記心軸に回動可能に取り付けられ、信号ユニット及び空気案内ユニットを備え、該信号ユニットは、心軸の環状凹部に取り付けられ、内部にチューブの連接通路と連通する内部通路が形成され、該空気案内ユニットは、信号ユニットの内部通路と連通するように該信号ユニットの一端に取り付けられる、空気案内部材、を有し、
前記心軸はさらに、前記心軸の一端に形成される空気進入部と、他端に形成される空気排出部と、連接部を備え、該連接部は、前記空気排出部と前記空気進入部との間に設けられて前記空気排出部と前記空気進入部とを連接し、前記貫設穴は、前記心軸の軸方向に沿って前記空気排出部、前記空気進入部、前記連接部を貫通するように形成され、前記環状凹部は、前記空気排出部と前記空気進入部との間かつ前記連接部の周囲に形成され、前記信号ユニットは、前記心軸の前記空気進入部に結合され、
前記空気排出部の下側に組合凹部が形成され、前記空気案内部材は、前記組合凹部に取り付ける位置決め部材を備え、前記信号ユニットは、心軸の軸方向に沿って延出する固定端が凹設され、前記位置決め部材は、前記信号ユニットの前記固定端に結合されることを特徴とする、
気動工具の信号発生器。
【請求項２】
前記空気進入部に挿設穴及び案内通路が形成され、該案内通路は、挿設穴及びチューブの連接通路と連通するように形成され、前記信号ユニットは、一端を介して挿設穴に結合され、案内通路及びチューブの連接通路と連通することを特徴とする請求項１に記載の気動工具の信号発生器。
【請求項３】
前記信号ユニットは、心軸の軸方向に沿って延出する組立端が設けられ、該心軸の軸方向と垂直する方向に沿って延出する連接端が設けられ、前記信号ユニットは、組立端を介して心軸の挿設穴に結合されることを特徴とする請求項２に記載の気動工具の信号発生器。